(57)【特許請求の範囲】
【請求項１】
上皿に載置した物品の重量を秤量する秤量部と、整数をデジタル表示する整数エリア表示部と小数を図形表示すると共に該図形による小数が許容範囲にあるか否かを表示する小数エリア表示部とを有する個数表示部と、前記秤量部の出力を前記物品の基準重量で除算して小数を含む物品の個数に換算し、得られた前記個数を四捨五入して整数を求め該整数を前記整数エリア表示部に表示し、前記整数と前記個数との差の小数を前記小数エリア表示部に表示する演算部とを備えたことを特徴とする個数はかり。
【請求項２】
前記小数の許容範囲は−０．３〜＋０．３とした請求項１に記載の個数はかり。
【請求項３】
上皿に載置した物品の重量を秤量する秤量部と、整数をデジタル表示する整数エリア表示部と小数を図形表示すると共に該図形による小数が許容範囲にあるか否かを表示する小数エリア表示部とを有する個数表示部と、前記秤量部の出力を前記物品の基準重量で除算して小数を含む物品の個数に換算し、得られた前記個数を四捨五入して整数を求め該整数を前記整数エリア表示部に表示し、前記整数と前記個数との差の小数を前記小数エリア表示部に表示する演算部とを備えた個数はかりを用いて物品の個数を計数する方法において、
既知少数個数Ｎ０の物品を秤量した最初の重量Ｗ０を前記既知少数個数Ｎ０で除算して平均基準重量ｍを求める第１工程と、
前記物品を更に加えて秤量した重量Ｗと前回までの重量との重量差△Ｗを前回の平均基準重量ｍにより除算して前記物品の小数を含む個数ｎを求め、該個数ｎと前回までの整数個数を加算した個数ｎ’を前記個数表示部に表示する第２工程と、
前記個数表示部の小数エリア表示部により前記小数が前記許容範囲にあるか確認し、外れていれば前記小数が前記許容範囲内になるように前記上皿の前記物品の数を加減する第３工程と、
前記重量Ｗを全整数個数により除算して新たな平均基準重量ｍを求める第４工程とを有し、
前記第２工程〜第４工程を繰り返すことにより物品個数を計数することを特徴とする個数はかりを用いた物品個数計数方法。
【請求項４】
前記既知少数個数Ｎ０は入力数値入力キーにより入力するか、或いは予め定まった数値とする請求項３に記載の個数はかりを用いた物品個数計数方法。
【請求項５】
上皿に載置した物品の重量を秤量する秤量部と、整数をデジタル表示する整数エリア表示部と小数を図形表示すると共に該図形による小数が許容範囲にあるか否かを表示する小数エリア表示部とを有する個数表示部と、前記秤量部の出力を前記物品の基準重量で除算して小数を含む物品の個数に換算し、得られた前記個数を四捨五入して整数を求め該整数を前記整数エリア表示部に表示し、前記整数と前記個数との差の小数を前記小数エリア表示部に表示する演算部とを備えた個数はかりを用いて物品の個数を計数する方法において、
少数個数の物品を秤量した最初の重量Ｗ０を既知平均重量で除算して得た個数から整数個数Ｎ０を求めると共に、前記重量Ｗ０を前記整数個数Ｎ０で除算して平均基準重量ｍを求める第１工程と、
前記物品を更に加えて秤量した重量Ｗと前回までの重量との重量差△Ｗを前回の平均基準重量ｍにより除算して前記物品の小数を含む個数ｎを求め、該個数ｎと前回までの整数個数を加算した個数ｎ’を前記個数表示部に表示する第２工程と、
前記個数表示部の小数エリア表示部により前記小数が前記許容範囲にあるか確認し、外れていれば前記小数が前記許容範囲内になるように前記上皿の前記物品の数を加減する第３工程と、
前記重量Ｗを全整数個数により除算して新たな平均基準重量ｍを求める第４工程とを有し、
前記第２工程〜第４工程を繰り返すことにより物品個数を計数することを特徴とする個数はかりを用いた物品個数計数方法。
【請求項６】
前記既知平均重量は入力数値入力キーにより入力するか、或いは予め定まった値とする請求項５に記載の個数はかりを用いた物品個数計数方法。
【発明の詳細な説明】
【０００１】
【発明の属する技術分野】
本発明は、同一品種の物品の個数を計数する個数はかり及び該はかりを用いた物品個数計数方法に関するものである。
【０００２】
【従来の技術】
物品の重量からその個数を計数する方法として、例えば特開昭５６−７０４２１号公報の発明が知られており、この発明でははかりに載置した物品の重量Ｗを計数作業により得られる平均基準重量ｍで除して、個数に相当する小数を含む数値ｎを物品を加えることを繰り返しながら求め、その小数を四捨五入することによって、物品個数の整数値Ｎを得る方法を提案している。
【０００３】
この場合に、平均基準重量ｍは物品を追加する度に、個数ｎの増加によってより正確な値に収斂するように修正される。この方法はばらつきの少ない物品個数の計数には適しており、迅速に対応できるが、計数精度と計数効率の点で幾つかの課題を有している。
【０００４】
一般に計数はかりにおける計数精度の問題を考えてみると、例えば母集団の平均重量Ｍが１．００ｇである物品の個数１０個から成る重量１０ｇについて、それを１０個とほぼ正確に認識するためには、個数を求めるための平均基準重量ｍは例えば０．９５〜１．０５ｇ内に収まることが必要になる。このことは１０個の個数を正しく計数するためには、平均基準重量ｍに許される平均重量Ｍからの誤差が±５％以下であるべきことを示している。
【０００５】
更に、同じ物品の１００個の個数を求める場合に、それを１００個と正しく認識するためには、一層の厳密さが要求されることになる。この場合において平均基準重量に許容される誤差は±０．５％であり、その範囲を越えると計数誤差が生ずる。
【０００６】
これらの条件を一般化し、整数値個数Ｎを基準に表現すると（１）式が導き出される。
Ｎ＜０．５・（ｍ／ε）        …（１）
【０００７】
ここに、εは平均基準重量ｍの真の平均値とも云うべき平均重量Ｍからの偏差値である。（１）式のｍ／εは誤差をσとすれば、（２）式に置き換えることができる。
Ｎ＜０．５／σ              …（２）
【０００８】
例えば、平均基準重量ｍの平均重量Ｍに対する誤差が１％の場合には、（２）式から計数すべき個数Ｎは０．５／０．０１＝５０以下となり、これを越えて計数すると正しい個数から外れることになる。また、５００個を一度に計数する場合には、物品重量誤差は０．５／５００＝０．００１以内に収まっていなければならない。このような条件が満たされれば、重量Ｗを平均基準重量ｍで除算して求める場合に、その商ｎを四捨五入する操作によって整数個数Ｎを正しく計数することができる。
【０００９】
【発明が解決しようとする課題】
重量Ｗを平均基準重量ｍで除して得る商ｎは個数に相当し、（３）式のように表現される。
ｎ＝Ｎ±Ｎσ                    …（３）
【００１０】
ここで、Ｎは整数部分、Ｎσは小数部分である。小数部分は個数Ｎ、誤差σの積であり、計数誤差と考えてよい。Ｎもσも未知数であるから、例えばＮを５０付近と設定すれば、誤差の許容範囲は一義的に決まってくるので、個数に相当するｎの小数部分の数値を監視しながらできるだけ大きくならない時点で個数を確定することが、計数誤差の少ない計測法であると見倣すことができる。
【００１１】
このように、個数Ｎを精度良く求めるためには、平均基準重量ｍの精度を上げるか、或いは計数する物品の個数、即ちはかりに載置する物品の個数を急激に増やさない方が有利になる。しかしながら、前述の特開昭５６−７０４２１号公報の発明では、計数精度を上げるために平均基準重量のばらつきを減らすことに重点がおかれ、また内部の演算機能によって最終的な個数が整数で表示されるのみで、測定中にばらつきを監視する手段がなく、操作者が誤差の少ないうちに任意に個数を決定したくても操作する手段を備えていないため、必ずしも計数誤差の少ない、効率的な測定法とは云えない。
【００１２】
本発明の目的は、上述の課題を解決し、個数の計数作業を装置の自動操作だけによるのではなく、操作者が小数を含む物品の個数情報を監視し、必要に応じて整数化しながら、物品を加え続けて複数回に渡って計数を行うことによって、計数精度と計数効率の向上を図ることが可能な個数はかり及び該はかりを用いた物品個数計数方法を提供することにある。
【００１３】
【課題を解決するための手段】
上述の目的を達成するための本発明に係る個数はかりは、上皿に載置した物品の重量を秤量する秤量部と、整数をデジタル表示する整数エリア表示部と小数を図形表示すると共に該図形による小数が許容範囲にあるか否かを表示する小数エリア表示部とを有する個数表示部と、前記秤量部の出力を前記物品の基準重量で除算して小数を含む物品の個数に換算し、得られた前記個数を四捨五入して整数を求め該整数を前記整数エリア表示部に表示し、前記整数と前記個数との差の小数を前記小数エリア表示部に表示する演算部とを備えたことを特徴とする。
【００１４】
また、本発明に係る個数はかりを用いた物品個数計数方法は、上皿に載置した物品の重量を秤量する秤量部と、整数をデジタル表示する整数エリア表示部と小数を図形表示すると共に該図形による小数が許容範囲にあるか否かを表示する小数エリア表示部とを有する個数表示部と、前記秤量部の出力を前記物品の基準重量で除算して小数を含む物品の個数に換算し、得られた前記個数を四捨五入して整数を求め該整数を前記整数エリア表示部に表示し、前記整数と前記個数との差の小数を前記小数エリア表示部に表示する演算部とを備えた個数はかりを用いて物品の個数を計数する方法において、既知少数個数Ｎ０の物品を秤量した最初の重量Ｗ０を前記既知少数個数Ｎ０で除算して平均基準重量ｍを求める第１工程と、前記物品を更に加えて秤量した重量Ｗと前回までの重量との重量差△Ｗを前回の平均基準重量ｍにより除算して前記物品の小数を含む個数ｎを求め、該個数ｎと前回までの整数個数を加算した個数ｎ’を前記個数表示部に表示する第２工程と、前記個数表示部の小数エリア表示部により前記小数が前記許容範囲にあるか確認し、外れていれば前記小数が前記許容範囲内になるように前記上皿の前記物品の数を加減する第３工程と、前記重量Ｗを全整数個数により除算して新たな平均基準重量ｍを求める第４工程とを有し、前記第２工程〜第４工程を繰り返すことにより物品個数を計数することを特徴とする。
【００１５】
更に、本発明に係る個数はかりを用いた物品個数計数方法は、上皿に載置した物品の重量を秤量する秤量部と、整数をデジタル表示する整数エリア表示部と小数を図形表示すると共に該図形による小数が許容範囲にあるか否かを表示する小数エリア表示部とを有する個数表示部と、前記秤量部の出力を前記物品の基準重量で除算して小数を含む物品の個数に換算し、得られた前記個数を四捨五入して整数を求め該整数を前記整数エリア表示部に表示し、前記整数と前記個数との差の小数を前記小数エリア表示部に表示する演算部とを備えた個数はかりを用いて物品の個数を計数する方法において、少数個数の物品を秤量した最初の重量Ｗ０を既知平均重量で除算して得た個数から整数個数Ｎ０を求めると共に、前記重量Ｗ０を前記整数個数Ｎ０で除算して平均基準重量ｍを求める第１工程と、前記物品を更に加えて秤量した重量Ｗと前回までの重量との重量差△Ｗを前回の平均基準重量ｍにより除算して前記物品の小数を含む個数ｎを求め、該個数ｎと前回までの整数個数を加算した個数ｎ’を前記個数表示部に表示する第２工程と、前記個数表示部の小数エリア表示部により前記小数が前記許容範囲にあるか確認し、外れていれば前記小数が前記許容範囲内になるように前記上皿の前記物品の数を加減する第３工程と、前記重量Ｗを全整数個数により除算して新たな平均基準重量ｍを求める第４工程とを有し、前記第２工程〜第４工程を繰り返すことにより物品個数を計数することを特徴とする。
【００１６】
【発明の実施の形態】
本発明を図示の実施の形態を基に詳細に説明する。
図１は本発明の方法を実行するためのはかりの斜視図である。このはかり１の外観は基台２、外装部３、上皿部４、表示部５、操作部６から成り、表示部５には例えば個数表示部７、重量表示部８、単重表示部９を配置する。操作部６には個数整数化釦１０、数値を入力するための数値入力キー１１を具備する。なお、１２、１３は他の機能釦であり、基台２内には秤量機構部、回路部を内蔵している。
【００１７】
図２は個数表示部７の拡大図であり、個数表示部７の上部に個数の整数エリア７ａを設け、下部にばらつきエリア７ｂを設け、個数の小数部分が＋０．５領域から−０．５領域の間にスケールバーにより表示される。
【００１８】
例えば、個数１２５．４が得られると、整数エリア７ａに１２５．４を四捨五入した整数値１２５を表示し、小数の０．４個に相当する数値に相当するスケールバーによりばらつきエリア７ｂのプラス側０．４の位置に表示する。ばらつきエリア７ｂは小数の数値によりばらつきの度合いを示すが、ばらつきの許される範囲として、例えば±０．３を示す安全エリア７ｃを設けている。
【００１９】
小数がこの安全エリア７ｃの範囲内にあるときに操作者が整数化釦１０を押すと、少数は消去される。また、スケールバーによる小数の表示は、円グラフ、絵文字、シンボル、ランプなどによる図形表示とすることもできる。
【００２０】
図３はブロック回路構成図であり、上皿部４に連結する秤量部２１の出力を、ＡＤ変換部２２を介して例えばマイクロプロセッサから成る演算部２３に接続し、演算部２３には個数表示部７、重量表示部８、単重表示部９、整数化釦１０、数値入力キー１１、更に記憶部２４を接続する。
【００２１】
次に、図４の動作フローチャート図に従って本発明の方法を説明する。なお、理解を容易にするために、秤量部２１の秤量誤差は無視するものとする。最初に、ステップＳ１で既知の少数個数Ｎ０、例えば１０個から成る物品Ｐをはかり１の上皿部４に載置すると、重量Ｗ０に応じた秤量部２１の出力がＡＤ変換部２２を介して演算部２３に入力し、物品Ｐの秤量値として例えば１０．３８９ｇを重量表示部８に表示し、同時に記憶部２４に記憶する。
【００２２】
ステップＳ２において、既知の個数Ｎ０に相当する数値１０を、操作者が数値入力キー１１を介して演算部２３に入力すると、個数表示部７の整数エリア７ａに１０を表示すると共に記憶部２４に記憶する。なお、この場合に既知の少数個数Ｎ０は測定ロットの基礎となる数値であって、誤入力がなされると以後の計数精度に大きな支障が生ずる。従って、実際には一目で正確に個数の認識ができる４個とか５個の物品を載置することが好適である。或いは、最初に秤量する個数を予め定めておけば、数値入力キー１１の操作を不要とすることもできる。
【００２３】
続いて、ステップＳ３で演算部２３は重量Ｗ０＝１０．３８９ｇを個数Ｎ０＝１０で除算し、商である１．０３９ｇを平均基準重量ｍ０として、単重表示部９に表示すると共に記憶部２４に記憶する。
【００２４】
ステップＳ４において、更に物品Ｐを上皿部４に加えると、重量Ｗ１として例えば３１．９５２ｇを得て、その重量Ｗ１＝３１．９５２を重量表示部８に表示すると共に記憶部２４に記憶する。
【００２５】
ステップＳ５で、この重量Ｗ１と記憶している前の重量Ｗ０から重量差△Ｗ＝（Ｗ１−Ｗ０）を演算部２３で演算し、その重量差△Ｗ＝２１．５６３ｇを求めると共に、重量差△Ｗを演算部２３で先に求め記憶してある平均基準重量ｍ０である１．０３９ｇにより除算し、個数ｎ＝２０．７５を求める。
【００２６】
ステップＳ６で得られた個数ｎ＝２０．７５に既に記憶されている個数Ｎ０＝１０を加算して個数ｎ１＝３０．７５を個数表示部７に表示する。個数表示部７では、整数エリア７ａに最も近い整数値である個数３１を表示し、ばらつきエリア７ｂには小数１桁の−０．２５をスケールバーで表示する。
【００２７】
ステップＳ７において、ばらつきエリア７ｂの安全エリア７ｃにより、個数ｎ１の小数部分がその範囲を越えていないことを確認した上で、操作者が整数化釦１０を押すと、ばらつきエリア７ｂの表示は消去され、個数ｎ１の３０．７５を整数値Ｎ１＝３１として確定し、記憶部２４に記憶する。
【００２８】
この操作において、個数ｎ１の小数部分が安全エリア７ｃ内から外れている場合には、そのまま整数化釦１０を押すと計数誤差が介入する可能性が高い。従って、この場合には警報音を発するなどして操作者に注意を促したり、整数化釦１０が作動しなくなるようにすることも好適である。警報があると、操作者は上皿部４から物品Ｐを少し取り除いて再秤量し、小数部分が安全エリア７ｃ内に入ることを確認してから、整数化釦１０により個数を整数化することが好ましい。
【００２９】
ステップＳ８において、得られた整数値Ｎ１が目的の個数に達していなければ、ステップＳ９に進み、演算部２３は重量Ｗ１＝３１．９５２ｇを全個数３１で除算し、平均基準重量ｍ１として１．０３１ｇを求め、単重表示部９に表示すると共に記憶部２４に記憶する。そして、ステップＳ４に戻る。
【００３０】
ステップＳ４〜Ｓ６において、物品Ｐを更に加え重量Ｗ２として例えばＷ２＝６５．８３０ｇを秤量し、重量表示部８に表示する。演算部２３において記憶されている前回の重量Ｗ１＝３１．９５２ｇとの重量差△Ｗ＝（Ｗ２−Ｗ１）＝６５．８３０−３１．９５２＝３３．８７８ｇを算出し、先に求めた平均基準重量ｍ１＝１．０３１ｇにより除算し、得られた数値３２．８６に既に記憶されている個数Ｎ１＝３１を加えた個数ｎ２＝６３．８６を個数表示部７に表示する。個数表示部７では、整数エリア７ａには６４を表示し、ばらつきガイドには−０．１４を表示する。
【００３１】
ステップＳ７で、個数ｎ２の小数部分がばらつきエリア７ｂの安全エリア７ｃに収まっていることを確認した上で、操作者が整数化釦１０を押すとＮ２＝６４個が確定し、記憶部２４に記憶する。
【００３２】
ステップＳ８で得られた個数Ｎ２が目的の個数に達していなければ、更に、ステップＳ９で演算部２３は重量Ｗ２＝６５．８３０ｇを個数Ｎ＝６４で除し、新たに平均基準重量ｍ２として１．０２９ｇを求め、単重表示部９に表示すると共に記憶し、ステップＳ４に戻る。
【００３３】
秤量回数が増加するにつれ、測定個数が増加し平均基準重量の精度はより向上してゆくので、秤量回数が多くなるに従って上皿部４に載置する物品Ｐの数を増加できる。
【００３４】
ステップＳ８で、個数表示部７に表示された全体個数Ｎが希望する個数に達していれば作業を終了すればよい。目的の個数との僅かな個数の差は、上皿部４に物品Ｐをその個数分、加えるとか減らせばよい。
【００３５】
また、これまでの経験又は統計から物品の平均重量Ｍに関する概略の情報が得られている場合には、数値入力キー１１からその平均重量Ｍを入力し、最初に平均重量Ｍが有するばらつき誤差が個数に介入しない程度の少数の物品Ｐを秤量すれば、個数を入力しなくとも個数と、その個数による平均基準重量ｍが得られる。それ以後は、図４に示すフローチャート図のステップＳ４以降と同様の計数作業が可能になる。なお、この場合に平均重量Ｍを数値入力キー１１から入力することなく、記憶部２４に記憶してある平均重量Ｍを使用することもできる。
【００３６】
本発明に係る個数はかりによる物品の個数計数では、小数を含む個数表示部によって操作者に物品の個数とばらつきを示す。従って、予めばらつきの許容範囲を設定すれば、その範囲を超えない限り連続して物品を載置できることになり、数値ｎが十分に確保されればそれを整数化して個数を確定することができる。なお、小数が０．５を超えることは事前に防止できるから、平均基準重量の再計算などは不要になる。
【００３７】
ばらつきの大きい物品の場合は、前述したように計数する個数を一挙に増やさないことが有効である。従って、その時々の物品に応じて操作者がばらつきの大きさを監視し、臨機応変に整数化釦１０により個数を整数に確定すれば、特にばらつきの大きい物品の個数の計数においても対応できる。
【００３８】
【発明の効果】
以上説明したように本発明に係る個数はかり及び該はかりを用いた物品個数計数方法は、得られた物品の秤量値を平均基準重量で除することにより小数を含む個数を求め、操作者の判断によりその個数を整数化しながら、物品を追加することを繰り返すことによって、物品の個数計数を正確に計測できる。
【図面の簡単な説明】
【図１】はかりの斜視図である。
【図２】個数表示部の正面図である。
【図３】ブロック回路構成図である。
【図４】動作フローチャート図である。
【符号の説明】
１  はかり
２  基台
３  外装部
４  上皿部
５  表示部
６  操作部
７  個数表示部
７ａ  整数エリア
７ｂ  ばらつきエリア
７ｃ  安全エリア
８  重量表示部
９  単重表示部
１０  整数化釦
１１  数値入力キー
２１  秤量部
２２  ＡＤ変換部
２３  演算部
２４  記憶部
【図１】
0003706346.tif 000002
【図２】
0003706346.tif 000003
【図３】
0003706346.tif 000004
【図４】
0003706346.tif 000005